(57)【特許請求の範囲】
【請求項１】
少なくともパンティ部及びレッグ部における太ももを有し、伸縮性素材をベース生地として体表に密着させるインナーウェアにおいて、
前記パンティ部の後面にある着用者のジャコビー線に対応する部分に沿い、前記パンティ部の左右の外側面にある前記着用者の大転子に対応する部分をそれぞれ通り、左右の前記太ももの後面をそれぞれ経由して、前記左右の太ももの内側面にある前記着用者の内側上顆に対応する部分にそれぞれ延在する第１の強伸縮部と、
前記パンティ部の左右の外側面にある前記着用者の腸骨稜に対応する部分から、前記パンティ部の前面にある前記着用者の臍点に対応する部分の下方で交差し、前記左右の太ももの前面をそれぞれ経由して、前記左右の太ももの外側面にある前記着用者の外側上顆に対応する部分までそれぞれ延在する第２の強伸縮部と、
前記パンティ部の後面及び太ももの後面間の境界近傍にある前記着用者の臀溝に対応する部分に沿い、前記左右の太ももの外側面及び前面をそれぞれ経由して、前記左右の太ももの内側面にある前記着用者の内側上顆に対応する部分にそれぞれ延在する第３の強伸縮部と、
を有し、
前記第１の強伸縮部、第２の強伸縮部及び第３の強伸縮部の伸縮抵抗が、前記ベース生地の伸縮抵抗と比較して大きいことを特徴とするインナーウェア。
【請求項２】
前記請求項１に記載のインナーウェアにおいて、
前記レッグ部における前記着用者の下腿に相当する下腿部を有し、
前記第１の強伸縮部が、前記左右の太ももの内側面にある前記着用者の内側上顆に対応する部分から、左右の前記下腿部の内側面にある前記着用者の内側顆に対応する部分をそれぞれ通り、前記左右の下腿部の内側面にある前記着用者の内果に対応する部分までそれぞれ延在し、
前記第２の強伸縮部が、前記左右の太ももの外側面にある前記着用者の外側上顆に対応する部分から、前記左右の下腿部の外側面にある前記着用者の外側顆に対応する部分をそれぞれ通り、前記左右の下腿部の外側面にある前記着用者の外果に対応する部分までそれぞれ延在し、
前記第３の強伸縮部が、前記左右の太ももの内側面にある前記着用者の内側上顆に対応する部分から、前記左右の下腿部の内側面にある前記着用者の内側顆に対応する部分をそれぞれ通り、前記左右の下腿部の内側面にある前記着用者の内果に対応する部分までそれぞれ延在することを特徴とするインナーウェア。
【請求項３】
前記請求項１に記載のインナーウェアにおいて、
裾となる口ゴムを有し、前記着用者の膝上まで丈があるロングガードルであって、
前記第１の強伸縮部、第２の強伸縮部及び第３の強伸縮部が、前記口ゴムまで延在することを特徴とするインナーウェア。
【請求項４】
前記請求項２に記載のインナーウェアにおいて、
裾となる口ゴムを有するスパッツであって、
前記第１の強伸縮部、第２の強伸縮部及び第３の強伸縮部が、前記口ゴムまで延在することを特徴とするインナーウェア。
【請求項５】
前記請求項２に記載のインナーウェアにおいて、
フート部を有するタイツであって、
前記第１の強伸縮部、第２の強伸縮部及び第３の強伸縮部が、前記フート部のソールまで延在することを特徴とするインナーウェア。
【発明の詳細な説明】
【技術分野】
【０００１】
この発明は、着用者のエネルギー消費量を向上させることができるインナーウェアに関する。
【背景技術】
【０００２】
近年、様々な分野でメタボリックシンドロームの対策が提案されている。このメタボリックシンドローム対策としては、日常生活に運動を取り入れることが最も有効な手段であるが、多忙な生活の中で十分な運動時間がとれない場合が多いことも実状である。このため、日常生活の中に軽運動を取り入れ、これを効果的に行うことが重要であり、エネルギー消費量を増加させるための効果的なテーピング方法を提案する必要がある。
【０００３】
また、スポーツにおいては、肉離れや靭帯又は腱の損傷を予防するために、しばしば、運動者に対してテーピングが施される。しかし、テーピングを施すことは、テーピング用テープの粘着による皮膚障害が生じることや、テーピングを自分自身で行うことが困難であるという問題点があった。
【０００４】
これに対し、近年では、伸長抵抗の小さい弱伸縮性素材をベース生地とし、強伸縮性の生地をテープ状に配したタイツ又はスパッツや、編組織による伸縮性の違いを利用したタイツ等が開発されている。
【０００５】
例えば、従来の運動用スパッツは、踝の上方から、ウエストラインまでの長さを有し、丸編地からなる運動用のスパッツであって、運動に必要な筋肉のサポートの要求に応じて、所定部分に比較的緊締力の強い部分とそれ以外の比較的緊締力の弱い部分がパターン状に設けられており、比較的緊締力の強い部分が、カットボス編手法によって形成された部分である（例えば、特許文献１参照）。
【０００６】
また、従来のインナーウェアは、ウエスト・バンドから、パンティ部の外側面を通り、大腿部の前面、膝部の内側面及び下腿部にかけて延在させる第１の強締付領域と、ウエスト・バンドから、パンティ部の外側面を通り、大腿部の外側面、膝部の外側面及び下腿部にかけて延在させる第２の強締付領域と、第１の強締付領域及び第２の強締付領域を、膝部に対して下腿部側で係止させる口ゴムと、を有し、第２の強締付領域が、ベース生地部より伸縮抵抗が大きく、且つ第１の強締付領域より伸縮抵抗が小さい（例えば、特許文献２参照）。
【０００７】
また、従来のスポーツウェアは、伸縮性を有する素材で形成したスポーツ用の衣服に、長さ方向に伸縮しにくいか若しくは殆ど伸縮しない伸縮阻止ライン部を形成し、人体にテープを巻き筋肉，関節等の動きを規制して挫傷，打撲，肉離れ，捻挫，骨折等を防止するテーピング効果と同様な効果を生じ得る方向に前記伸縮阻止ライン部を形成せしめた（例えば、特許文献３参照）。
【０００８】
さらに、従来のスポーツウェアは、伸縮性を有する素材で形成したスポーツ用の衣服に、長さ方向に周囲の前記伸縮素材に比して伸縮しにくいか若しくは殆ど伸縮しない線状の伸縮抑制ライン部と帯状の伸縮抑制ライン部との双方を並設形成し、人体にテープを巻き筋肉，関節等の動きを規制して挫傷，打撲，肉離れ，捻挫，骨折等を防止するテーピング効果と同様な効果を生じ得る方向に前記伸縮抑制ライン部を形成せしめた（例えば、特許文献４参照）。
【０００９】
また、従来のテーピング機能タイツは、人体のウエストラインから踝までの下半身の体表に密着して着用する伸縮素材によって構成したタイツ型を呈する。体側該当部と膝部内側該当部に、高伸縮強度を持った素材からなる脇側部材と内側部材を切り替え配置する。脇側部材と内側部材を膝位置の下方で山形に対向して頂部を突き合わせ縫合連結して膝部テーピング構造を構成する。下腿部の脹ら脛位置下方位置両側に、高伸縮強度を持った素材からなる脹ら脛部材を切り替え配置し、両脹ら脛部材を脹ら脛位置の下方で近接対向して脹ら脛部テーピング構造を構成し、スポーツテーピング機能を持たせたことを特徴とするものである（例えば、特許文献５参照）。
【００１０】
また、従来のタイツは、着用時に伸縮性を有するタイツであって、高い伸縮性を有する伸縮部と、伸縮部よりも伸縮性が低い低伸縮部とから構成し、低伸縮部は、ウエスト部に環状に形成された環状部と、大腿部の外側から膝蓋部より上を経由して下腿部内側に至る位置に設けられた第一帯状部と、大腿部の内側から膝蓋部より上で第一帯状部と交差し、下腿部の外側に至る位置に設けられた第二帯状部とからなり、第一帯状部は、第二帯状部よりも伸縮性が低くなるように形成し、環状部に第一帯状部及び第二帯状部が接続された構成とする（例えば、特許文献６参照）。
【００１１】
さらに、従来のタイツは、腰部から前足首部までを覆う前部分と、後腰部下端から後足首部までを覆う後部分と、側腰部の大転子点から外踝部までを覆う外側部分と、外側部分の上端部から後腰部側に一体に突出し後腰部を覆う後腰部持出し部分と、股底部から内踝部までを覆う内側部分と、外膝部をサポートする外膝サポート部分と、内膝部をサポートする内膝サポート部分と、後腰部から縫工筋および内転筋群を覆い内膝サポート部分の上方位置まで延びる縫工筋および内転筋群サポート部分を有し、外側部分、後腰部持出し部分、各サポート部分は、他の部分よりも伸びが強い強伸縮素材により形成されている（例えば、特許文献７参照）。
【００１２】
また、従来の運動支援タイツは、着用者の下半身の動作を支援するタイツにおいて、全体として伸縮性を有する素材によって成形され、締め付け力の強い強領域と締め付け力の弱い弱領域とを有する。そして、強領域は、少なくとも、着用者の下腹部に相当する第１領域と、背腰部に相当する第２領域とを含む。好ましくは、前記第２領域は、着用者の背腰部から骨盤まで延びる構造とする（例えば、特許文献８参照）。
【先行技術文献】
【特許文献】
【００１３】
【特許文献１】特開２００１−２１４３０３号公報
【特許文献２】特開２００８−１６３５２３号公報
【特許文献３】特開平０８−０８１８０７号公報
【特許文献４】特開平０９−２４１９０６号公報
【特許文献５】特開平１１−０１２８１４号公報
【特許文献６】特開２００４−２３２１５７号公報
【特許文献７】特開２００６−２０７０５６号公報
【特許文献８】特開２００４−２３８７８９号公報
【発明の概要】
【発明が解決しようとする課題】
【００１４】
しかしながら、従来の運動用スパッツ、インナーウェア及びスポーツウェアは、着用者の膝や腰の損傷を予防することを目的とし、従来のテーピング機能タイツ、タイツ及び運動支援タイツは、着用者の下半身をサポートし、運動機能性を向上させることと目的としており、着用者に対して積極的に負荷を掛けるものではなく、メタボリックシンドローム対策として有効ではないという課題がある。特に、インナーウェアには、痩身性や審美性が訴求され、身体補整効果をも求められている。
【００１５】
この発明は、上述のような課題を解決するためになされたもので、メタボリックシンドローム対策として、エネルギー代謝促進と筋力アップに有効であり、痩身性や審美性に優れ、身体補整効果のあるインナーウェアを提供することを目的とする。
【課題を解決するための手段】
【００１６】
この発明に係るインナーウェアにおいては、パンティ部の後面にある着用者のジャコビー線に対応する部分に沿い、パンティ部の左右の外側面にある着用者の大転子に対応する部分をそれぞれ通り、左右の太ももの後面をそれぞれ経由して、左右の太ももの内側面にある着用者の内側上顆に対応する部分にそれぞれ延在する第１の強伸縮部と、パンティ部の左右の外側面にある着用者の腸骨稜に対応する部分から、パンティ部の前面にある着用者の臍点に対応する部分の下方で交差し、左右の太ももの前面をそれぞれ経由して、左右の太ももの外側面にある着用者の外側上顆に対応する部分までそれぞれ延在する第２の強伸縮部と、パンティ部の後面及び太ももの後面間の境界近傍にある着用者の臀溝に対応する部分に沿い、左右の太ももの外側面及び前面をそれぞれ経由して、左右の太ももの内側面にある着用者の内側上顆に対応する部分にそれぞれ延在する第３の強伸縮部と、を有し、第１の強伸縮部、第２の強伸縮部及び第３の強伸縮部の伸縮抵抗が、ベース生地の伸縮抵抗と比較して大きいものである。
【発明の効果】
【００１７】
この発明に係るインナーウェアにおいては、パンティ部の後面にある着用者のジャコビー線に対応する部分に沿い、パンティ部の左右の外側面にある着用者の大転子に対応する部分をそれぞれ通り、左右の太ももの後面をそれぞれ経由して、左右の太ももの内側面にある着用者の内側上顆に対応する部分にそれぞれ延在する第１の強伸縮部と、パンティ部の左右の外側面にある着用者の腸骨稜に対応する部分から、パンティ部の前面にある着用者の臍点に対応する部分の下方で交差し、左右の太ももの前面をそれぞれ経由して、左右の太ももの外側面にある着用者の外側上顆に対応する部分までそれぞれ延在する第２の強伸縮部と、パンティ部の後面及び太ももの後面間の境界近傍にある着用者の臀溝に対応する部分に沿い、左右の太ももの外側面及び前面をそれぞれ経由して、左右の太ももの内側面にある着用者の内側上顆に対応する部分にそれぞれ延在する第３の強伸縮部と、を有し、第１の強伸縮部、第２の強伸縮部及び第３の強伸縮部の伸縮抵抗が、ベース生地の伸縮抵抗と比較して大きいことにより、太ももの後面にある第１の強伸縮部が、着用者による踏み出しやもも上げの際に運動方向に対して抵抗になると共に、太ももの前面で交差して配設される第２の強伸縮部及び第３の強伸縮部が、着用者による蹴り出しや太ももを高く上げる際に運動方向に対して抵抗になる。すなわち、この発明に係るインナーウェアを着用することにより、着用者は、日常生活の中に軽運動を取り入れることで、エネルギー消費量を増加させて、メタボリックシンドローム対策を図ることができる。
【図面の簡単な説明】
【００１８】
【図１】（ａ）は第１の実施形態に係るスパッツを示す正面図であり、（ｂ）は図１（ａ）に示すスパッツの背面図である。
【図２】（ａ）は図１（ａ）に示すスパッツの右側面図であり、図１（ａ）に示すスパッツの矢視Ａ−Ａ線の断面図である。
【図３】（ａ）は下半身の骨格の名称を説明するための前面側の骨格図であり、（ｂ）は下半身の骨格の名称を説明するための後面側の骨格図である。
【図４】図１に示す第１の強伸縮部、第２の強伸縮部及び第３の強伸縮部の編組織の概略構成図である。
【図５】（ａ）は長さ方向におけるテーピング用テープ及びスパッツ素材の伸長特性を示したグラフであり、（ｂ）は幅方向におけるテーピング用テープ及びスパッツ素材の伸長特性を示したグラフである。
【図６】（ａ）は筋電実験の手順を説明するための説明図であり、（ｂ）は図６（ａ）に示す運動形態を説明するための説明図であり、（ｃ）は呼吸代謝及び心拍測定の手順を説明するための説明図である。
【図７】図７は筋電位の測定点を説明するための説明図である。
【図８】（ａ）は図６（ｂ）に示す運動１、運動２及び運動３のうち合計３６秒間の筋電位を積分した値ＩＥＭＧを示すグラフであり、（ｂ）は図６（ｂ）に示す運動１、運動２及び運動３のうち合計３６秒間におけるＩＥＭＧの各筋のＮからの差ΔＩＥＭＧを示すグラフであり、（ｃ）は歩行時における各筋のΔＩＥＭＧを示すグラフである。
【図９】（ａ）は図６（ｂ）に示す運動１−１（６秒）と運動１−３（６秒）との計１２秒間における各筋のΔＩＥＭＧを示すグラフであり、（ｂ）は図６（ｂ）に示す運動２−１（６秒）と運動２−３（６秒）との計１２秒間における各筋のΔＩＥＭＧを示すグラフであり、（ｃ）は図６（ｂ）に示す運動３−１（６秒）と運動３−３（６秒）との計１２秒間における各筋のΔＩＥＭＧを示すグラフである。
【図１０】（ａ）は各運動における安静時からの心拍数の差ΔＨＲを示すグラフであり、（ｂ）は各運動における酸素摂取量ＶＯ2を示すグラフであり、（ｃ）は各運動におけるエネルギー消費量を示すグラフである。
【図１１】（ａ）は第１の実施形態に係るロングガードルを示す正面図であり、（ｂ）は図１１（ａ）に示すロングガードルの背面図である。
【図１２】（ａ）は第２の実施形態に係るタイツを示す正面図であり、（ｂ）は図１２（ａ）に示すタイツの背面図である。
【発明を実施するための形態】
【００１９】
（本発明の第１の実施形態）
インナーウェアは、少なくともパンティ部及びレッグ部における太ももを有し、弱伸縮性素材をベース生地としてインナーウェアの着用者の体表に密着される。例えば、着用者の膝上まで丈があるロングガードル、着用者の腰から足先まで密着して包むタイツ、又は伸縮性のある素材で作った着用者の脚に密着する長いパンツ状のスパッツ若しくはスポーツタイツなどが挙げられる。なお、この第１の実施形態においては、図１乃至図４において、インナーウェアとしてスパッツ１００を用いて説明する。
【００２０】
スパッツ１００は、パンティ部１０及びレッグ部２０の二部に大別される。
パンティ部１０は、上端である腰天１１のゴムテープの部分であるウエスト・バンド１２と、着用者の腰を覆う部分であるパンティ１３と、着用者の股の添え生地であるガセット１４とを備え、腰天１１から身部切替えまでの部分の総称である。
【００２１】
また、レッグ部２０は、着用者の大腿部に対応する部分である太もも２１と、着用者の下腿に対応する部分である下腿部２２と、レッグ部２０の下端である裾２３のゴムテープの部分である口ゴム２４と、を備え、太もも２１から裾２３までの部分の総称である。
【００２２】
なお、スパッツ１００は、既存の靴下編機により筒状に編んだ一対の編地を用いて、パンティ１３に相当する部分に切れ目を入れて裁断縁同士を付き合わせて縫着して一体化したものであり、後述する第１の強伸縮部１、第２の強伸縮部２及び第３の強伸縮部３以外は周知の手段により編み上げたものである。また、インナーウェアにおける、第１の強伸縮部１、第２の強伸縮部２、第３の強伸縮部３、ウエスト・バンド１２、ガセット１４及び口ゴム２４を除いた部分であるベース生地４０は、伸縮性のある編地であり、平編、タック編、浮き編又はパイル編などで編成されてなる構成である。
【００２３】
第１の強伸縮部１は、パンティ部１０の後面にある着用者のジャコビー線４１５（左右の腸骨稜４１７の最高点を結ぶ線）に対応する部分（以下、ジャコビー線部１５と称す）に沿い、パンティ部１０の左右の外側面にある着用者の大転子４１６に対応する部分（以下、大転子部１６と称す）をそれぞれ通り、左右の太もも２１の後面をそれぞれ経由して、左右の太もも２１の内側面にある着用者の内側上顆４２１ａに対応する部分（以下、内側上顆部２１ａと称す）にそれぞれ延在する。
【００２４】
また、第１の強伸縮部１は、左右の太もも２１の内側面にある着用者の内側上顆４２１ａに対応する部分（内側上顆部２１ａ）から、左右の下腿部２２の内側面にある着用者の内側顆４２２ａに対応する部分（以下、内側顆部２２ａと称す）をそれぞれ通り、左右の下腿部２２の内側面にある着用者の内果４２２ｂに対応する部分（以下、内果部２２ｂと称す）までそれぞれ延在する。
【００２５】
特に、第１の強伸縮部１は、ジャコビー線部１５における上縁をジャコビー線４１５の高さに合わせるように、パンティ部１０の後面で周方向Ｈに略直線状に配設され（図１（ｂ）参照）、大転子部１６において大転子４１６を覆うように、パンティ部１０及び太もも２１の左右の外側面で略弓形に配設される（図２（ａ）参照）。また、第１の強伸縮部１は、内側上顆部２１ａを内側上顆４２１ａに合わせるように、左右の太もも２１の後面で斜め方向に略直線状に配設され（図１（ｂ）参照）、内側顆部２２ａにおいて内側顆４２２ａを覆い、内果部２２ｂにおいて内果４２２ｂを覆うように、左右の下腿部２２の内側面で長さ方向Ｌのやや前方に略直線状に配設される（図２（ｂ）参照）。また、第１の強伸縮部１は、図２（ｂ）に示すように、口ゴム２４まで延在して口ゴム２４で係止されている。
【００２６】
このように、第１の強伸縮部１は、太もも２１の後面において、太もも２１の外側面から内側面にかけて張架されることにより、着用者による踏み出しやもも上げの際に運動方向に対して抵抗になる。
【００２７】
第２の強伸縮部２は、パンティ部１０の左右の外側面にある着用者の腸骨稜４１７に対応する部分（以下、腸骨稜部１７と称す）から、パンティ部１０の前面にある着用者の臍点に対応する部分（以下、臍点部１８と称す）の下方で交差し、左右の太もも２１の前面をそれぞれ経由して、左右の太もも２１の外側面にある着用者の外側上顆４２１ｂに対応する部分（以下、外側上顆部２１ｂと称す）までそれぞれ延在する。
【００２８】
また、第２の強伸縮部２は、左右の太もも２１の外側面にある着用者の外側上顆４２１ｂに対応する部分（外側上顆部２１ｂ）から、左右の下腿部２２の外側面にある着用者の外側顆４２２ｃに対応する部分（以下、外側顆部２２ｃと称す）をそれぞれ通り、左右の下腿部２２の外側面にある着用者の外果４２２ｄに対応する部分（以下、外果部２２ｄと称す）までそれぞれ延在する。
【００２９】
特に、第２の強伸縮部２は、左右の腸骨稜部１７を始点とし、着用者の腹部を圧迫しないように、パンティ部１０の前面における臍点部１８（臍点、臍位）の下方で交差して外側上顆部２１ｂまでそれぞれ延在する（図１（ａ）参照）。また、第２の強伸縮部２は、外側上顆部２１ｂにおいて外側上顆４２１ｂを覆い、外側顆部２２ｃにおいて外側顆４２２ｃを覆い、外果部２２ｄにおいて外果４２２ｄを覆うように、左右の下腿部２２の外側面で長さ方向Ｌに略直線状に配設される（図２（ａ）参照）。また、第２の強伸縮部２は、図２（ａ）に示すように、口ゴム２４まで延在して口ゴム２４で係止されている。
【００３０】
このように、第１の強伸縮部１が着用者の腰部におけるジャコビー線４１５に沿って配設され、第２の強伸縮部２が第１の強伸縮部１に連結し着用者の下腹部における臍点の下方で交差して配設されることにより、着用者の腰部を安定させることができる。また、下腹部の出っ張りを支持あるいは抑制する整容効果をもつ。さらに、第１の強伸縮部１及び第２の強伸縮部２は、スパッツ１００の周方向Ｈに対してそれぞれ周回していないことにより、フープテンション（周方向応力）が発生せず、着用者の腹部を圧迫しないために、着用者の健康を害しないものである。
【００３１】
第３の強伸縮部３は、パンティ部１０の後面及び太もも２１の後面間の境界近傍にある着用者の臀溝に対応する部分（以下、臀溝部１９と称す）に沿い、左右の太もも２１の外側面及び前面をそれぞれ経由して、左右の太もも２１の内側面にある着用者の内側上顆４２１ａに対応する部分（内側上顆部２１ａ）にそれぞれ延在する。
【００３２】
また、第３の強伸縮部３は、左右の太もも２１の内側面にある着用者の内側上顆４２１ａに対応する部分（内側上顆部２１ａ）から、左右の下腿部２２の内側面にある着用者の内側顆４２２ａに対応する部分（内側顆部２２ａ）をそれぞれ通り、左右の下腿部２２の内側面にある着用者の内果４２２ｂに対応する部分（内果部２２ｂ）までそれぞれ延在する。なお、第３の強伸縮部３は、左右の太もも２１の内側面にある内側上顆部２１ａから、左右の下腿部２２の内側面にある内側顆部２２ａの下方までそれぞれ延在し、内側顆部２２ａの下方から左右の下腿部２２の内側面にある内果部２２ｂまでは、第１の強伸縮部１と重畳させないように、第３の強伸縮部３を配設させなくてもよい。
【００３３】
特に、第３の強伸縮部３は、大腿最大位における太もも２１の内側面側から着用者の臀部を引き上げるように、左右の臀溝部１９における上縁を臀溝に合わせており（図１（ｂ）参照）、左右の太もも２１の前面で第２の強伸縮部２と交差するように、左右の太もも２１の前面で斜め方向に略直線状に配設される（図１（ａ）参照）。また、第３の強伸縮部３は、内側上顆部２１ａにおいて内側上顆４２１ａを覆い、内側顆部２２ａにおいて内側顆４２２ａを覆い、内果部２２ｂにおいて内果４２２ｂを覆うように、左右の下腿部２２の内側面で長さ方向Ｌのやや後方に略直線状に配設される（図２（ｂ）参照）。また、第３の強伸縮部３は、図２（ｂ）に示すように、口ゴム２４まで延在して口ゴム２４で係止されている。
【００３４】
このように、第３の強伸縮部３は、着用者の臀溝に沿って配設されることにより、ヒップアップの補整効果を具備する。また、第２の強伸縮部２及び第３の強伸縮部３は、太もも２１の前面において、交差して張架されることにより、着用者による蹴り出しの際に運動方向に対して抵抗になる。
【００３５】
また、第１の強伸縮部１、第２の強伸縮部２及び第３の強伸縮部３は、着用者の膝蓋骨４２１ｃに対応する部分（以下、膝蓋骨部２１ｃと称す）を挟持するように、膝蓋骨部２１ｃがある太もも２１の外側面及び内側面に配設されることにより、着用者の膝関節の動作を安定させることができる。また、第１の強伸縮部１、第２の強伸縮部２及び第３の強伸縮部３は、下腿部２２の外側面及び内側面に配設されることにより、着用者の下腿の動きを安定させることができる。
【００３６】
特に、第１の強伸縮部１、第２の強伸縮部２及び第３の強伸縮部３の延在方向（流れ）については、着用者の脚の動きに対して大きな寸法変化が生じるように配設しており、第１の強伸縮部１、第２の強伸縮部２及び第３の強伸縮部３の伸長抵抗が、着用者のエネルギー消費量を増加させることを意図している。
【００３７】
なお、第１の強伸縮部１、第２の強伸縮部２及び第３の強伸縮部３は、素材に伸長を与えない状態から一定の伸長を与えた場合の張力をＦとし、インナーウェアの長さ方向Ｌにおける第１の強伸縮部１の張力ＦL1、インナーウェアの長さ方向Ｌにおける第２の強伸縮部２の張力ＦL2、インナーウェアの長さ方向Ｌにおける第３の強伸縮部３の張力ＦL3、インナーウェアの長さ方向Ｌにおけるベース生地４０の張力ＦL（Ｂ）とすると、第１の強伸縮部１、第２の強伸縮部２及び第３の強伸縮部３がベース生地４０と比較して強い締め付け力を持つような、ＦL1＞ＦL（Ｂ），ＦL2＞ＦL（Ｂ），ＦL3＞ＦL（Ｂ）という大小関係を持たせる。
【００３８】
また、本実施形態に係るスパッツ１００においては、第１の強伸縮部１、第２の強伸縮部２及び第３の強伸縮部３として、強伸縮素材である編布をスパッツ１００のベース生地４０に縫合して貼付しているが、前述した大小関係を持たせることができるのであれば、縫製に限られるものではなく、例えば、ベース生地４０と第１の強伸縮部１、第２の強伸縮部２及び第３の強伸縮部３とを一体として丸編によって編成してよい。
【００３９】
具体的には、第１の強伸縮部１、第２の強伸縮部２及び第３の強伸縮部３に添え糸編とゴム編（リブ編、あぜ編）とを併用して編地とすることが考えられる。なお、添え糸編は、図４に示すように、ゴム編の地編糸９ａの他に他の編糸９ｂを添えて給糸することで、第１の強伸縮部１、第２の強伸縮部２及び第３の強伸縮部３の長さ方向の伸縮を適度に抑えており、第１の強伸縮部１、第２の強伸縮部２及び第３の強伸縮部３とベース生地４０との境界において他の編糸９ｂをカットしている（以下、カットボスと称す）。
ここで、ループのよこの列をコースＣ、たての行をウェールＷとする。
【００４０】
図４に示すように、たて方向に表目のウェールと裏目のウェールとが交互に並ぶ編み目で、１ウェールごとに表目と裏目とを配列したものを１×１ゴム編としているが、２×１ゴム編、３×２ゴム編など多数の変化ゴム編としてもよい。また、図示しないパール編がたて方向に対して著しい伸縮性があるのに対して、この編地はよこ方向に対して伸縮性がある。図４において、糸の繋がりが理解しやすいように、地編糸９ａ（他の編糸９ｂ）を１コースおきに実線と破線とで図示している。なお、第１の強伸縮部１、第２の強伸縮部２及び第３の強伸縮部３は長さ方向の伸縮抵抗が幅方向の伸縮抵抗と比較して大きいのであれば、この編組織や添え糸に限られるものでもなく、例えば、１ウェールＷおきに編地の間に編み目を作らずにゴム糸を編み込んだ挿入編を施してもよい。
【００４１】
これに対し、ポリエステル系、ポリアミド系、ポリウレタン系、ポリエチレン系（高密度、低密度）又はエチレン酢酸ビニール系などの種類の樹脂を含浸させた糸によって、第１の強伸縮部１、第２の強伸縮部２及び第３の強伸縮部３の編地を編成し構成することで、ゴム編、添え糸編又は挿入編による編組織を用いることなく、スパッツ１００の長さ方向Ｌの伸び率を縮小させることができ、同様の作用効果を奏することができる。
【００４２】
また、第１の強伸縮部１、第２の強伸縮部２及び第３の強伸縮部３の編地に、伸びを防ぐための細幅の布地などでできたテープを縫付けることや、セロファン又はビニールなどのテープに接着剤を塗った粘着テープを貼り付けることでも、ゴム編、添え糸編又は挿入編による編組織を用いることなく、スパッツ１００の長さ方向Ｌの伸び率を縮小させることができる。
【００４３】
また、第１の強伸縮部１、第２の強伸縮部２及び第３の強伸縮部３の編地に、液体の樹脂を塗り、樹脂が空気に触れ酸化して固着させることや、薄膜状の樹脂を取り付けることや、液体の樹脂を噴霧器などで吹着け、樹脂が空気に触れ酸化して固着させることでも、ゴム編、添え糸編又は挿入編による編組織を用いることなく、スパッツ１００の長さ方向Ｌの伸び率を縮小させることができる。
【００４４】
また、第１の強伸縮部１、第２の強伸縮部２及び第３の強伸縮部３の編地を、接着剤を使用して樹脂加工を施す接着芯地としてもよい。この場合には、ポリエステル系、ポリアミド系、ポリウレタン系、ポリエチレン系（高密度、低密度）又はエチレン酢酸ビニル系などの種類の樹脂からなる接着樹脂を、ドット加工、パウダー加工、くもの巣加工又はフィルム加工などの加工方法によって、編地に塗布し、フラット型プレス機、ローラー型プレス機などによって加熱及び加圧処理を施すことで、編地に樹脂を固着させることができる。
【００４５】
なお、第１の強伸縮部１、第２の強伸縮部２及び第３の強伸縮部３をそれぞれ延在させているだけのスパッツ１００では、着用者の体表とスパッツ１００とのずれにより、第１の強伸縮部１、第２の強伸縮部２及び第３の強伸縮部３による効果が低減する。このため、本実施形態に係るスパッツ１００は、着用者のウエスト及び臀部間における腰部の湾曲した部分に第１の強伸縮部１を係止させ、第１の強伸縮部１、第２の強伸縮部２及び第３の強伸縮部３を口ゴム２４で係止させることで、着用者の体表とスパッツ１００とのずれを抑制して、第１の強伸縮部１、第２の強伸縮部２及び第３の強伸縮部３による効果を向上させることができる。
【００４６】
つぎに、本実施形態における第１の強伸縮部１、第２の強伸縮部２及び第３の強伸縮部３による効果について、本願発明を創作するにあたり原理となった、伸縮性をもつテーピング用テープを通常のスパッツ（ノーマルスパッツ）の上に貼付したテーピングによる効果を検証することで説明する。
【００４７】
まず、検証試験の条件について説明する。
検証試験に用いたテーピング用テープ（Ｔ）は、テープ幅が７．５ｃｍであり、図５（ａ）に示すように、長さ方向でみると、伸び率が約６０％までは非線形性が大きく、非常によく伸びるが、それ以上では非常に急激に伸びにくくなる素材である。また、テーピング用テープ（Ｔ）は、図５（ｂ）に示すように、幅方向においては、テーピング用テープがワンウエイ・ストレッチ素材であるためほとんど伸びていない。これに対し、スパッツ（Ｎ）は、ツーウエイ・ストレッチ素材であり、長さ方向及び周方向ともに非常によく伸びる。
【００４８】
なお、テーピング用テープ及びスパッツ素材の伸長特性の測定には、引張り・せん断測定装置（カトーテック製，ＫＥＳＦＢ１）を用い、測定条件を引張速度０．２ｍｍ／ｓｅｃ、つかみ長さ２．５ｃｍ、最大荷重４００Ｎ／ｍあるいは最大伸び率１００％とし、つかみ幅を５ｃｍとした。
【００４９】
また、検証試験に用いたテーピング方法は、図１及び図２に示す、第１の強伸縮部１に対応するテーピング方法（以下、Ａタイプと称す）と、第２の強伸縮部２に対応するテーピング方法（以下、Ｂタイプと称す）と、第３の強伸縮部３に対応するテーピング方法（以下、Ｃタイプと称す）との３種類である。
【００５０】
検証試験は、被験者に対して、ノーマルスパッツを着用させた場合（以下、Ｎと称す）と、ノーマルスパッツ着用後にＡタイプのテーピングを施した場合（以下、Ｔａと称す）と、ノーマルスパッツ着用後にＡタイプ及びＢタイプのテーピングを施した場合（以下、Ｔａｂと称す）と、ノーマルスパッツ着用後にＡタイプ、Ｂタイプ及びＣタイプのテーピングを施した場合（以下、Ｔａｂｃと称す）とのそれぞれについて行なった。なお、後述する図８（ａ）及び図１０の凡例に示す「Ｎ」は、ノーマルスパッツを着用させた場合を示しており、後述する図８及び図９の凡例に示す「Ｔａ」は、ノーマルスパッツ着用後にＡタイプのテーピングを施した場合を示しており、後述する図８及び図９の凡例に示す「Ｔａｂ」は、ノーマルスパッツ着用後にＡタイプ及びＢタイプのテーピングを施した場合を示しており、後述する図８、図９及び図１０の凡例に示す「Ｔａｂｃ」は、ノーマルスパッツ着用後にＡタイプ、Ｂタイプ及びＣタイプのテーピングを施した場合を示している。
【００５１】
被験者は、筋電位への影響を検証する試験（筋電位の測定）では年齢が２０代である女性３名とし、心拍数及び酸素摂取量への影響を検証する試験（心拍数及び酸素摂取量の測定）では年齢が２０代である女性９名とした。
【００５２】
つぎに、筋電位への影響を検証する試験（筋電位の測定）について説明する。
被験者には、図６（ａ）に示すように、椅座位における安静（３分）、時速４．０ｋｍ／ｈの歩行（１００秒）、椅座位におけるもも上げの運動（１００秒）、休憩（１０秒）、立位における体幹ひねりの運動（１００秒）、休憩（１０秒）、立位における脚巻上げの運動（１００秒）、休憩（１０秒）を順次行なわせる。
【００５３】
なお、椅座位におけるもも上げの運動（１００秒）としては、図６（ｂ）に示す運動１のように、８秒間右脚の太ももを上げて静止し（運動１−１）、２秒間下ろして静止し（運動１−２）、８秒間左脚の太ももを上げて静止し（運動１−３）、２秒間下ろして静止（運動１−４）する運動形態を１セットとして、５回行なった。
【００５４】
また、立位における体幹ひねりの運動（１００秒）としては、図６（ｂ）に示す運動２のように、８秒間右脚を上げて体幹を捻って静止し（運動２−１）、２秒間元に戻して静止し（運動２−２）、８秒間左脚を上げて体幹を捻って静止し（運動２−３）、２秒間元に戻して静止（運動２−４）する運動形態を１セットとして、５回行なった。
【００５５】
また、立位における脚巻上げの運動（１００秒）としては、図６（ｂ）に示す運動３のように、８秒間右脚を巻き上げて静止し（運動３−１）、２秒間元に戻して静止し（運動３−２）、８秒間左脚を巻き上げて静止し（運動３−３）、２秒間元に戻して静止（運動３−４）する運動形態を１セットとして、５回行なった。
【００５６】
筋電位の測定点は、図７に示すように、大腿部前面にある縫工筋４０１（１ＣＨ）、大腿直筋４０２（２ＣＨ）及び薄筋４０３（３ＣＨ）、臀部にある大臀筋４０４（４ＣＨ）、大腿部後面にあるハムストリングス筋４０５（５ＣＨ）、並びに下腿後面にある腓腹筋外側頭４０６（６ＣＨ）及び腓腹筋内側頭４０７（７ＣＨ）の計７箇所であり、利き足などにより筋電位に差が出ないように、測定は全て右脚で行なった。
【００５７】
そして、双極電極法により、各筋腹上の活動電位を多チャンネル増幅器（日本光電株式会社製）により増幅させ、筋電図（electromyogram：ＥＭＧ）を記録した。
【００５８】
筋電図（ＥＭＧ）の解析は、ＢＩＭＴＵＳII（キッセイコムテック株式会社製）を用い
、筋電図の生波形に対して基線レベルを０に合わせた後、全波整流を行い、一定時間における筋電図の積分値（以下、積分筋電図（ＩＥＭＧ）と称す）を算出して検討した。算出式は次式（１）に示す通りである。
【００５９】
【数１】
0005526409.tif 000002
【００６０】
ＩＥＭＧは、筋活動の大きい、図６（ｂ）に示す運動１−１及び運動１−３、運動２−１及び運動２−３、並びに運動３−１及び運動３−３における左脚及び右脚の各運動につき、安定期の筋電位として、各々６秒間ずつ計３６秒間を積分して求めた。なお、一般に、筋負荷が大きいほど積分筋電図は大きいことが知られている。
【００６１】
図８（ａ）に示すように、運動１、運動２及び運動３を通して行うことにより、一般的に負荷がかかりにくい縫工筋４０１で最も大きなＩＥＭＧが検出され、その他の筋においてもほぼ均等なＩＥＭＧが検出された。このことから、７箇所（縫工筋４０１、大腿直筋４０２、薄筋４０３、大臀筋４０４、ハムストリングス筋４０５、腓腹筋外側頭４０６、腓腹筋内側頭４０７）のすべての筋において適度な負荷が与えられたことがわかる。
【００６２】
なお、積分筋電図は、被験者の筋の大きさ、動作時における筋の使い方、脂肪の付き方などの違いによる個人差が大きいといわれていることから、各被験者のノーマルタイプのスパッツ（Ｎ）のＩＥＭＧを基準（０）として、Ｔａ、Ｔａｂ又はＴａｂｃのＩＥＭＧとＮのＩＥＭＧとの差（以下、ΔＩＥＭＧと称す）を算出して検証を行なった。
図８（ｂ）に示すように、ＴａｂｃのΔＩＥＭＧは、薄筋４０３ではＮのＩＥＭＧに対
して増加が見られず、ハムストリングス筋４０５ではＴａのΔＩＥＭＧに比べてやや小さ
いが、縫工筋４０１、大腿直筋４０２、大臀筋４０４、腓腹筋外側頭４０６及び腓腹筋内側頭４０７では概してＴａ及びＴａｂのΔＩＥＭＧに比べて最も大きく増加することがわ
かる。このことは、第１の強伸縮部１に対応するＡタイプによるテーピング用テープと、第２の強伸縮部２に対応するＢタイプによるテーピング用テープと、第３の強伸縮部３に対応するＣタイプによるテーピング用テープとが総じて運動時の筋負荷を高めたことを示しており、ＴａｂｃはＮに比べて平均約１６％の筋負荷が増加することがわかった。
【００６３】
ここで、参考までに、運動１−１及び運動１−３の左脚及び右脚の運動につき、安定期の筋電位として、各々６秒間ずつ計１２秒間を積分して求めた、Ｔａ、Ｔａｂ又はＴａｂｃのＩＥＭＧとＮのＩＥＭＧとの差であるΔＩＥＭＧを図９（ａ）に示す。また、運動２
−１及び運動２−３の左脚及び右脚の運動につき、安定期の筋電位として、各々６秒間ずつ計１２秒間を積分して求めた、Ｔａ、Ｔａｂ又はＴａｂｃのＩＥＭＧとＮのＩＥＭＧとの差であるΔＩＥＭＧを図９（ｂ）に示す。また、運動３−１及び運動３−３の左脚及び
右脚の運動につき、安定期の筋電位として、各々６秒間ずつ計１２秒間を積分して求めた、Ｔａ、Ｔａｂ又はＴａｂｃのＩＥＭＧとＮのＩＥＭＧとの差であるΔＩＥＭＧを図９（
ｃ）に示す。
【００６４】
図９に示すように、各運動形態においては、ＴａｂｃのΔＩＥＭＧが、Ｔａ及びＴａｂ
のΔＩＥＭＧと比較して、すべての筋に対して大きいわけではなく、運動形態によっては
、ＴａやＴａｂの方が運動時の筋負荷を高めるうえで有効な場合がある。しかしながら、日常生活は、各運動形態のみが行われるわけではなく、様々な運動形態を伴うものであり、様々な運動形態を通して総体的に運動時の筋負荷を高めることが、日常生活に運動を取り入れるうえで有効である。このため、Ｔａｂｃは、図８（ａ）及び図８（ｂ）を用いて前述した通り、Ｔａ及びＴａｂと比較して、様々な運動形態を通して総体的に運動時の筋負荷を高めることができるために好ましい。
【００６５】
また、図８（ｃ）に示すように、歩行時のΔＩＥＭＧは、大臀筋４０４、ハムストリン
グス筋４０５、腓腹筋外側頭４０６において、Ｔａが最もΔＩＥＭＧが大きい。このよう
に、ＴａのΔＩＥＭＧが大きくなった理由としては、歩行時に脚を前に大きく踏み出す際
に、Ｔａのテーピング用テープが大きく作用した結果であると考えられる。これに対し、Ｔａｂｃでは、運動１、運動２及び運動３で効果が見られなかった薄筋４０３において筋負荷の増加が見られ、腓腹筋内側頭４０７を除く各筋においてほぼ均等にΔＩＥＭＧが増
加しており、Ｎに比べて約２５％の筋負荷の増加が確認された。このことから、第１の強伸縮部１に対応するＡタイプによるテーピング用テープと、第２の強伸縮部２に対応するＢタイプによるテーピング用テープと、第３の強伸縮部３に対応するＣタイプによるテーピング用テープとが補完し合って、着用者の脚の各筋の負荷を適宜増加させる効果があることが明らかである。このことは、当然のことながら、着用者の筋力アップに繋がるものと予測される。
【００６６】
つぎに、心拍数及び酸素摂取量への影響を検証する試験（心拍数及び酸素摂取量の測定）について説明する。
被験者には、図６（ｃ）に示すように、椅座位における安静（６０秒）、時速４．０ｋｍ／ｈの歩行（１２００秒）、座位における安静（１８０秒）、椅座位におけるもも上げの運動（１００秒）、休憩（１０秒）、立位における体幹ひねりの運動（１００秒）、休憩（１０秒）、立位における脚巻上げの運動（１００秒）、休憩（１０秒）を順次行なわせる。
【００６７】
心拍数ＨＲの検証試験では、各被験者の安静時の心拍数ＨＲを基準（０）として、各被験者における各運動時の心拍数ＨＲと安静時の心拍数ＨＲとの差（以下、ΔＨＲと称す）
を算出して検証を行なった。
【００６８】
図１０（ａ）に示すように、ＴａｂｃのΔＨＲは、ＮのΔＨＲに比べて、歩行、運動１
、運動２、運動３及び一連の運動（図６（ｃ））のすべてにおいて増加しており、着用者の身体に対する負荷が大きくなったことがわかる。
【００６９】
酸素摂取量ＶＯ2の検証試験では、各被験者における各運動時の酸素摂取量ＶＯ2を測定し、測定した酸素摂取量ＶＯ2に基づき、酸素１リットル当たりの消費エネルギーを５．０ｋｃａｌと仮定して、２０分間におけるエネルギー消費量を算出して検証を行なった。
【００７０】
図１０（ｂ）に示すように、Ｔａｂｃの酸素摂取量ＶＯ2は、Ｎの酸素摂取量ＶＯ2に比べて、安静、歩行、運動１、運動２、運動３及び一連の運動（図６（ｃ））のすべてにおいて増加しており、着用者の身体に対する負荷が大きくなったことがわかる。
【００７１】
また、図１０（ｃ）に示すように、Ｔａｂｃのエネルギー消費量は、Ｎのエネルギー消費量に比べて、安静、歩行、運動１、運動２、運動３及び一連の運動（図６（ｃ））のすべてにおいて増加しており、平均増加量が約２０％であり、Ｎよりも有意に増加することがわかった。すなわち、本実施形態に係るスパッツ１００を着用することは、ノーマルスパッツに比べて、約２０％多いカロリーを消費できることが検証された。
【００７２】
なお、本実施形態においては、インナーウェアとしてスパッツ１００を用いて説明したが、例えば、図１１に示すロングガードル２００、タイツ又はスポーツタイツなどの少なくともパンティ部１０及びレッグ部２０における太もも２１を有し、体表に密着させるインナーウェアであれば、第１の強伸縮部１、第２の強伸縮部２及び第３の強伸縮部３を対応する位置に設けることで、同様の作用効果を奏することができる。
【００７３】
（本発明の第２の実施形態）
図１２（ａ）は第２の実施形態に係るタイツを示す正面図であり、図１２（ｂ）は図１２（ａ）に示すタイツの背面図である。図１２において、図１及び図２と同じ符号は、同一又は相当部分を示し、その説明を省略する。
タイツ３００は、パンティ部１０、レッグ部２０及びフート部３０の三部に大別される。
【００７４】
フート部３０は、着用者のかかとに対応する部分を補強する部分である図示しないヒールと、着用者の足裏に対応する部分である図示しないソールと、着用者の爪先に対応する部分を補強する部分であるトウ３１とを備え、ヒールからトウ３１までの総称である。
【００７５】
なお、タイツ３００は、既存の靴下編機により筒状に編んだ一対の編地を用いて、パンティ１３に相当する部分に切れ目を入れて裁断縁同士を付き合わせて縫着して一体化し、トウ３１を袋状に縫着したものである。
【００７６】
第１の強伸縮部１、第２の強伸縮部２及び第３の強伸縮部３は、下腿部２２から足裏すなわちソールまでそれぞれ延在され、着用者の足において外果４２２ｄ、内果４２２ｂ及び足裏の土踏まずを結ぶ帯状として構成されている。
【００７７】
なお、この第２の実施形態においては、第１の強伸縮部１、第２の強伸縮部２及び第３の強伸縮部３が、下腿部２２からソールまで延在しているところのみが第１の実施形態と異なるところであり、後述するソールまで延在している第１の強伸縮部１、第２の強伸縮部２及び第３の強伸縮部３による作用効果以外は、第１の実施形態と同様の作用効果を奏する。
【００７８】
この第２の実施形態のインナーウェアによれば、第１の強伸縮部１、第２の強伸縮部２及び第３の強伸縮部３が下腿部２２からソールまで延在しているために、第１の強伸縮部１、第２の強伸縮部２及び第３の強伸縮部３を着用者の足裏と地面又は床面とで挟持することで、下腿部２２側の係止部として作用させることができ、第１の実施形態における係止部である口ゴム２４と比較して、第１の強伸縮部１、第２の強伸縮部２及び第３の強伸縮部３を強固に係止することができ、着用者の体表とインナーウェアとのずれをさらに抑制することができる。
【符号の説明】
【００７９】
１      第１の強伸縮部
２      第２の強伸縮部
３      第３の強伸縮部
９ａ    地編糸
９ｂ    編糸
１０    パンティ部
１１    腰天
１２    ウエスト・バンド
１３    パンティ
１４    ガセット
１５    ジャコビー線部
１６    大転子部
１７    腸骨稜部
１８    臍点部
１９    臀溝部
２０    レッグ部
２１    太もも
２１ａ  内側上顆部
２１ｂ  外側上顆部
２１ｃ  膝蓋骨部
２２    下腿部
２２ａ  内側顆部
２２ｂ  内果部
２２ｃ  外側顆部
２２ｄ  外果部
２３    裾
２４    口ゴム
３０    フート部
３１    トウ
４０    ベース生地
１００  スパッツ
２００  ロングガードル
３００  タイツ
４０１  縫工筋
４０２  大腿直筋
４０３  薄筋
４０４  大臀筋
４０５  ハムストリングス筋
４０６  腓腹筋外側頭
４０７  腓腹筋内側頭
４１５  ジャコビー線
４１６  大転子
４１７  腸骨稜
４２１ａ  内側上顆
４２１ｂ  外側上顆
４２１ｃ  膝蓋骨
４２２ａ  内側顆
４２２ｂ  内果
４２２ｃ  外側顆
４２２ｄ  外果
【図１】
0005526409.tif 000003
【図２】
0005526409.tif 000004
【図３】
0005526409.tif 000005
【図４】
0005526409.tif 000006
【図５】
0005526409.tif 000007
【図８】
0005526409.tif 000008
【図９】
0005526409.tif 000009
【図１０】
0005526409.tif 000010
【図１１】
0005526409.tif 000011
【図１２】
0005526409.tif 000012
【図６】
0005526409.tif 000013
【図７】
0005526409.tif 000014